(57)【要約】【課題】冷房運転時及び暖房運転時の両方において空調手段の空調負荷の低減を図ることが可能となる空調システムを提供すること。【解決手段】空調システム１は、空調対象空間２の内部の気体を、所定の熱源により加熱された被加熱部を介して、空調対象空間２から取り入れる天井チャンバー７と、外気と、空調対象空間２又は天井チャンバー７から取り入れた気体と、を混合して生成した空調空気を空調対象空間２に対して供給する空調機１９と、天井チャンバー７から空調機１９に至る気体流入路の開閉を行う第一ダンパ１６と、空調対象空間２から空調機１９に至る気体流入路の開閉を行う第二ダンパ１７と、を備え、第一ダンパ１６を閉じると共に第二ダンパ１７を開ける第一方式と、第二ダンパ１７を閉じると共に第一ダンパ１６を開ける第二方式と、を相互に切り換え可能とした。【選択図】図１
2015048960.tif 000002
【特許請求の範囲】
【請求項１】
空調対象空間に対して空調空気を供給するための空調システムであって、
前記空調対象空間の内部の気体を、前記空調対象空間の内部又は外部に位置する所定の熱源により加熱された被加熱部を介して、前記空調対象空間から取り入れるチャンバーと、
外部空間から取り入れた外気と、前記空調対象空間又は前記チャンバーから取り入れた気体と、を混合して生成した空調空気を前記空調対象空間に対して供給する空調手段と、
前記チャンバーから前記空調手段に至る気体流入路の開閉を行う第一ダンパと、
前記空調対象空間から前記空調手段に至る気体流入路の開閉を行う第二ダンパと、を備え、
前記第一ダンパを閉じると共に前記第二ダンパを開けることにより、前記空調対象空間の内部の気体を前記空調手段に取り入れる第一方式と、
前記第二ダンパを閉じると共に前記第一ダンパを開けることにより、前記チャンバーの内部の気体を前記空調手段に取り入れる第二方式と、を相互に切り換え可能とした、
空調システム。
【請求項２】
前記被加熱部は、
前記熱源である太陽により加熱される遮熱空間であって、前記空調対象空間に対して太陽熱を供給する太陽熱供給空間と前記空調対象空間に配置された遮熱手段との相互間に形成された遮熱空間である、
請求項１に記載の空調システム。
【請求項３】
前記被加熱部は、
前記熱源である照明器具により加熱される照明近傍空間であって、前記空調対象空間の周囲又は内部に配置された前記照明器具により加熱される照明近傍空間である、
請求項１又は２に記載の空調システム。
【請求項４】
前記空調対象空間において相互に重複しない複数の領域を設定し、前記空調対象空間と前記空調手段とを接続する気体流入路における前記空調対象空間側の端部が配置された領域と、前記被加熱部が配置された領域との距離が所定距離以上となるように、前記端部を配置した、
請求項１から３のいずれか一項に記載の空調システム。
【請求項５】
前記チャンバーに取り入れられた気体と前記外気との全熱交換を行う全熱交換手段、又は前記チャンバーに取り入れられた気体を排気する余剰排気手段の少なくとも一方を備える、
請求項１から４のいずれか一項に記載の空調システム。
【発明の詳細な説明】
【技術分野】
【０００１】
本発明は、空調システムに関する。
【背景技術】
【０００２】
近年、室内の天井部に配置された照明器具の発熱量を熱回収して空調を行うことにより、暖房運転時における空調負荷の低減を図る空調システムが提案されている（例えば、特許文献１）。ここで、図４は従来の空調システムを設置した部屋の概要図である。図４に示すようにこのような空調システムは概略的に、空調機３０と、空調が行われている室内３１の空気を直接的に空調機３０に取り入れるための還気ダクト３２と、空調が行われている室内３１の空気を排気するための排気ダクト３３と、排気ダクト３３の途中から分岐されたダクトであって、空調が行われている室内３１の空気を照明器具３６を介して間接的に空調機に取り入れるための分岐ダクト３４と、分岐ダクト３４に設けられたダンパ３５と、を備えて構成される。
【０００３】
このように構成された空調システムは、暖房運転時において、照明器具３６から受ける熱量の小さい空気（すなわち、室内３１の冷たい空気）を還気ダクト３２を介して空調機３０に取り入れると共に、ダンパ３５を開にすることにより照明器具３６から受ける熱量の大きい空気を分岐ダクト３４を介して空調機３０に取り入れる。このようにして、照明器具３６の発熱量の熱回収を行うことで、空調機の空調負荷の低減を図ることが可能となる。
【０００４】
ここで、冷房運転時には、照明器具３６から受ける熱量の大きい空気を分岐ダクト３４を介して空調機３０に取り入れてしまうと、却って空調機の空調負荷を増大させてしまう。そのため、空調システムは、冷房運転時においてはダンパ３５を閉にすることにより、照明器具３６から受ける熱量の小さい空気のみを還気ダクト３２を介して空調機３０に取り入れる。このように、照明器具３６から受ける熱量の大きい空気を取り入れる分岐ダクト３４の他に、照明器具３６から受ける熱量の小さい空気を取り入れる還気ダクト３２を備えることによって、暖房運転時のみに限らず冷房運転時においても空調負荷の低減を図ることが可能となる。
【先行技術文献】
【特許文献】
【０００５】
【特許文献１】特開平６−２２９５８６号公報
【発明の概要】
【発明が解決しようとする課題】
【０００６】
ここで、上記特許文献１に記載の従来の空調装置は、上述したように、冷房運転時における空調負荷の低減を図るために、還気ダクト３２により室内３１と空調機３０とを接続する必要がある。しかし、この還気ダクト３２によって室内と空調機３０とが接続されていることにより、暖房運転時においても室内３１の冷たい空気が還気ダクト３２を介して空調機３０に取り入れられてしまう。そのため、暖房運転時における空調機３０の空調負荷の低減を図ることが出来ない可能性があった。したがって、このような冷房運転時と暖房運転時とで空調機に取り入れる空気を変更することが可能な空調システムにおいて、冷房運転時及び暖房運転時の両方において空調手段の空調負荷の低減を図ることが可能となる空調システムが要望されていた。
【０００７】
本発明は、上記に鑑みてなされたものであって、冷房運転時と暖房運転時とで空調機に取り入れる空気を変更することが可能な空調システムにおいて、冷房運転時及び暖房運転時の両方において空調手段の空調負荷の低減を図ることが可能となる空調システムを提供することを目的とする。
【課題を解決するための手段】
【０００８】
上述した課題を解決し、目的を達成するために、請求項１に記載の空調システムは、空調対象空間に対して空調空気を供給するための空調システムであって、前記空調対象空間の内部の気体を、前記空調対象空間の内部又は外部に位置する所定の熱源により加熱された被加熱部を介して、前記空調対象空間から取り入れるチャンバーと、外部空間から取り入れた外気と、前記空調対象空間又は前記チャンバーから取り入れた気体と、を混合して生成した空調空気を前記空調対象空間に対して供給する空調手段と、前記チャンバーから前記空調手段に至る気体流入路の開閉を行う第一ダンパと、前記空調対象空間から前記空調手段に至る気体流入路の開閉を行う第二ダンパと、を備え、前記第一ダンパを閉じると共に前記第二ダンパを開けることにより、前記空調対象空間の内部の気体を前記空調手段に取り入れる第一方式と、前記第二ダンパを閉じると共に前記第一ダンパを開けることにより、前記チャンバーの内部の気体を前記空調手段に取り入れる第二方式と、を相互に切り換え可能とした。
【０００９】
また、請求項２に記載の空調システムは、請求項１に記載の空調システムにおいて、前記被加熱部は、前記熱源である太陽により加熱される遮熱空間であって、前記空調対象空間に対して太陽熱を供給する太陽熱供給空間と前記空調対象空間に配置された遮熱手段との相互間に形成された遮熱空間である。
【００１０】
また、請求項３に記載の空調システムは、請求項１又は２に記載の空調システムにおいて、前記被加熱部は、前記熱源である照明器具により加熱される照明近傍空間であって、前記空調対象空間の周囲又は内部に配置された前記照明器具により加熱される照明近傍空間である。
【００１１】
また、請求項４に記載の空調システムは、請求項１から３のいずれか一項に記載の空調システムにおいて、前記空調対象空間において相互に重複しない複数の領域を設定し、前記空調対象空間と前記空調手段とを接続する気体流入路における前記空調対象空間側の端部が配置された領域と、前記被加熱部が配置された領域との距離が所定距離以上となるように、前記端部を配置した。
【００１２】
また、請求項５に記載の空調システムは、請求項１から４のいずれか一項に記載の空調システムにおいて、前記チャンバーに取り入れられた気体と前記外気との全熱交換を行う全熱交換手段、又は前記チャンバーに取り入れられた気体を排気する余剰排気手段の少なくとも一方を備える。
【発明の効果】
【００１３】
請求項１に記載の空調システムによれば、第一方式においては第二ダンパを開けると共に第一ダンパを閉じるので、熱源から受ける熱量の小さい気体を空調手段に取り入れると共に、熱源から受ける熱量の大きい気体を空調手段に取り入れない事ができ、冷房運転時における空調手段の空調効率の低減を図ることが可能となる。また、第二方式においては第二ダンパを閉じると共に第一ダンパを開けるので、熱源から受ける熱量の大きい気体を空調手段に取り入れると共に、熱源から受ける熱量の小さい気体を空調手段に取り入れない事ができ、暖房運転時における空調手段の空調効率の低減を図ることが可能となる。よって、冷房運転と暖房運転との切り替えに応じて、第一方式と第二方式とを切り替えることにより、冷房運転時及び暖房運転時の両方において空調手段の空調負荷の低減を図ることが可能となる。
【００１４】
請求項２に記載の空調システムによれば、空調対象空間に対して太陽熱を供給する太陽熱供給空間と空調対象空間に配置された遮熱手段との相互間に形成された遮熱空間の気体をチャンバーに取り入れるので、第二方式において太陽から受ける熱量の大きい気体を空調手段に取り入れる事が可能であるため、暖房運転時において太陽の熱量を利用して空調を行うことが可能となる。
【００１５】
請求項３に記載の空調システムによれば、照明近傍空間の気体をチャンバーに取り入れるので、第二方式において照明器具から受ける熱量の大きい気体を空調手段に取り入れる事が可能であるため、暖房運転時において照明器具の熱量を利用して空調を行うことが可能となる。
【００１６】
請求項４に記載の空調システムによれば、空調対象空間と空調手段とを接続する気体流入路における空調対象空間側の端部が配置された領域と、被加熱部が配置された領域との距離が所定距離以上であるので、気体流入路における空調対象空間側の端部から取り入れられる気体のうち、熱源の熱負荷を含む気体の割合を低減することができ、冷房運転時における空調手段の空調負荷のさらなる低減を図ることが可能となる。
【００１７】
請求項５に記載の空調システムによれば、チャンバーに取り入れられた気体と外気との全熱交換を行う全熱交換手段、又はチャンバーに取り入れられた気体を排気する余剰排気手段の少なくとも一方を備えるので、チャンバーに取り入れられた気体を全熱交換手段又は余剰排気手段を介して排気することができ、冷房運転時における空調手段の空調負荷のさらなる低減を図ることが可能となる。特に、全熱交換手段の選択も可能であることは冷房運転時における最大空調負荷時（外気冷房が不可能な時）にも空調負荷の低減が可能である。
【図面の簡単な説明】
【００１８】
【図１】本発明の実施の形態に係る暖房運転時の空調システムを設置した部屋の概要図である。
【図２】冷房運転時の空調システムを設置した部屋の概要図である。
【図３】空調システムにおける各種の空間の概念を示す図である。
【図４】従来の空調システムを設置した部屋を示す概要図である。
【発明を実施するための形態】
【００１９】
以下に添付図面を参照して、この発明に係る空調システムの実施の形態を詳細に説明する。まず、〔Ｉ〕実施の形態の基本的概念を説明した後、〔ＩＩ〕実施の形態の具体的内容について説明し、〔ＩＩＩ〕最後に、実施の形態に対する変形例について説明する。ただし、実施の形態によって本発明が限定されるものではない。
【００２０】
〔Ｉ〕実施の形態の基本的概念
まず、実施の形態の基本的概念について説明する。本実施の形態に係る空調システムは、空調対象空間に対して空調を行う空調システムである。ここで、「空調対象空間」とは、空調システムが空調を行う対象となる空間のことであり、空調システムにより気体の循環等が行われる空間のことである。なお、空調システムにより空調対象空間の各所に循環される気体は空気以外の気体であっても構わないが、本実施の形態では、気体は空気であるものとして説明する。
【００２１】
また、この空調対象空間の具体的な広さや形状等については任意であり、本実施の形態では、その一側面に窓が設けられた空間であって、この窓を介して外部空間と隣接している空間であるものとする。ここで、「外部空間」とは、空調対象空間の外部に設けられた空間であって、屋内又は屋外を問わないが、本実施の形態では屋外空間であるものとしてとして説明する。なお、以下では、空調対象空間における一部の特定の位置を基準として、より外部空間に近づく方向を「外側」と称し、より外部空間から遠ざかる方向を「内側」と称して説明する。
【００２２】
〔ＩＩ〕実施の形態の具体的内容
次に、本発明に係る実施の形態の具体的内容について説明する。
【００２３】
（構成）
最初に、本実施の形態に係る空調システム１の構成について説明する。図１は、本実施の形態に係る暖房運転時の空調システム１を設置した部屋の概要図である。図２は、冷房運転時の空調システム１を設置した部屋の概要図である。このように、本実施の形態に係る空調システム１は、暖房運転と冷房運転とを相互に切り替えて行うことが可能である。ここで、以下では、空調システム１の構成について、図１を参照して説明し、図１におけるＸ方向を「奥行き方向」、Ｙ方向（すなわちＸ方向とＺ方向のいずれに対しても直交する方向）を「幅方向」、Ｚ方向を「高さ方向」と必要に応じて称して説明する。
【００２４】
また、図３は、空調システム１における各種の空間の概念を示す図である。この図３を適宜参照しつつ、当該空調システム１を説明するに当たって必要な空間の概念について説明する。なお、図３は、空間の概念について説明する便宜上、空調対象空間２において相互に重複しない複数の領域を設定したものである。ここで、複数の領域の具体的な範囲等については任意であるが、本実施の形態では、７列１３行の領域が設定されているものとして説明する。ここで、このように設定された各領域を区別するために、以下では、各領域を、行を特定するための大文字アルファベット（Ａ〜Ｇ）と列を特定するための小文字アルファベット（ａ〜ｍ）との組み合わせにより表して説明する。例えば、Ａ行ａ列の領域は、「領域Ａａ」のように表し、Ｃ行ｍ列の領域は、「領域Ｃｍ」のように表すものとする。
【００２５】
まずは、本実施の形態に係る空調システム１が配置される部屋の構成について説明する。この部屋は、天井スラブ５の所定距離下方の位置に天井ボード６が吊るされた二重天井構造にて形成されており、この天井スラブ５と天井ボード６との間に形成された空間を「天井チャンバー７」と称して以下では説明する。この天井チャンバー７には本実施の形態に係る空調システム１に関する各種の機器（ファン等）が配置されているものとする。なお、これら各種の機器についての詳細な説明については後述する。
【００２６】
また、天井ボード６には、照明器具８が設けられている。この照明器具８は、空調対象空間２の内部に位置する熱源であって、空調対象空間２の照明を行うために空調対象空間２の天井に設置された照明手段である。なお、この照明器具８の具体的な種類や数は任意であるが、本実施の形態では、公知のシステム照明として構成されており、図１に示すように空調対象空間２の概要図において３つの照明器具８が配置されているものとして説明する。
【００２７】
ここで、この照明器具８により加熱される空間を「照明近傍空間９」と称して説明する（図３に示す）。この照明近傍空間９は、照明器具８により加熱される被加熱部である。なお、厳密に言えば空調対象空間２の内部の空間は少なからず照明器具８により加熱されているが、ここで言う「照明器具８により加熱される空間」とは、照明器具８の近傍に形成される空間であって、照明器具８により特に加熱される空間を示す概念である。このような照明近傍空間９の具体的な範囲については任意であるが、本実施の形態では図３に示すように、空調対象空間２の内部において、照明器具８の位置を中心として所定の距離以内（例えば３０ｃｍ以内）に形成された半球状の領域であるものとして説明する。すなわち、図３においては、各照明器具８が配置された領域である、領域Ａｃ、領域Ａｆ、及び領域Ａｉに照明近傍空間９が位置する。
【００２８】
また、空調対象空間２の窓３の近傍にはブラインド１０が設けられている。このブラインド１０は、空調対象空間２に対して太陽熱を供給する外部空間４から空調対象空間２へと供給される太陽熱を遮断するための遮熱手段である。このブラインド１０は、窓３から所定距離（例えば３０ｃｍ）だけ内側の位置に設置されて、公知のエアバリアシステムを実現するためのブラインド１０であり、例えばユーザの操作によって巻き取り及び巻き出しが可能な公知のロールスクリーンとして形成されている。そして、ブラインド１０は、窓３と略同一の幅及び略同一の高さを有し、巻き出した状態において、窓枠における上枠から窓枠における下枠にかけて窓３を覆っている。上記は公知のロールスクリーンの例を記述したが、通常のスラット形式のブラインドであっても支障はない。
【００２９】
ここで、以下では外部空間４に位置する太陽により加熱される空間を「遮熱空間１１」と称して説明する（図３に示す）。この遮熱空間１１は、太陽により加熱される被加熱部である。なお、厳密に言えば空調対象空間２の内部の空間は少なからず太陽により加熱されているが、ここで言う「太陽により加熱される空間」とは、太陽により特に加熱される空間を示す概念である。このような遮熱空間１１の具体的な範囲については任意であるが、本実施の形態では図３に示すように、窓３とブラインド１０との相互間に形成された空間が「遮熱空間１１」であるものとして説明する。
【００３０】
次に、本実施の形態に係る空調システム１の構成要素について説明する。図１に示すように、本実施の形態に係る空調システム１は、概略的に、余剰排気ファン１２、２４時間給気ファン１３、外気冷房ファン１４、全熱交換器１５、第一ダンパ１６、第二ダンパ１７、リタンチャンバー１８、空調機１９、吸込口２０、リタンスリット２１、吹出口２２、ＶＡＶ２３（Ｖａｒｉａｂｌｅ  Ａｉｒ  Ｖｏｌｕｍｅ）、ブラインドスリット２４、及びエアバリアファン２５、を備えて構成され、各構成要素はダクトＬ１からダクトＬ１３によって図１のように接続されている。なお、各構成要素は特記する場合を除き公知の構成を採用することが可能であるため、その詳細な説明を省略する。
【００３１】
（構成−余剰排気ファン）
余剰排気ファン１２は、天井チャンバー７に取り入れられた空気を外部空間４に排気する余剰排気手段であって、給気と排気との量を調整することで、空調対象空間２における圧力の均衡を図るためのファンである。
【００３２】
（構成−２４時間給気ファン）
２４時間給気ファン１３は、外部空間４から外気を取り入れて空調機１９に対して送風することにより、空調対象空間２を常時換気するための常時換気手段であって、建築基準法に定められる２４時間換気を実現するために用いられるファンである。また、この２４時間給気ファン１３は各階に配置される便所、湯沸室（いずれも図示省略）等で排気される換気量を充当する意味でも用いられるものでもある。
【００３３】
（構成−外気冷房ファン）
外気冷房ファン１４は、外部空間４から外気を取り入れて空調機１９に対して給気するための給気手段である。この外気冷房ファン１４は、季節的に外気が空調対象空間２の内部の空気より冷涼である等のように、外気の状態が、冷房として利用可能な状態である時に運転されるファンである。
【００３４】
（構成−全熱交換器）
全熱交換器１５は、気体の全熱交換を行う全熱交換手段であり、天井チャンバー７に取り入れられた空気と外部空間４から取り入れられた外気との間で温度及び湿度を交換させる全熱交換手段である。ここで、天井チャンバー７に取り入れられた空気は全熱交換された後に外部空間４に排気され、また、外部空間４から取り入れられた外気は全熱交換された後に空調機１９に対して取り入れられる。なお、この全熱交換器１５の具体的な構成については公知の全熱交換器１５の構成を用いることが可能であるため、その詳細な説明を省略する。
【００３５】
（構成−第一ダンパ）
第一ダンパ１６は、天井チャンバー７から空調機１９に至る気体流入路であるダクトＬ７の開閉を行う第一気体流入路開閉手段である。この第一ダンパ１６は公知のモーターダンパとして構成され、空調システム１の制御を行うための自動制御装置（図示省略）から送信される信号を受信して自動的に開閉を行うダンパとして構成される。そして、第一ダンパ１６が開に設定されているときにはダクトＬ７の内部に空気が通風するため、天井チャンバー７の内部の空気がダクトＬ７を介してリタンチャンバー１８へと取り入れられる。一方、第一ダンパ１６が閉に設定されているときにはダクトＬ７の内部に空気が通風しないため、天井チャンバー７の内部の空気がダクトＬ７を介してリタンチャンバー１８へと取り入れられない。なお、第一ダンパ１６はコスト的に必要とあれば手動ダンパの形式とすることも可能である。
【００３６】
（構成−第二ダンパ）
第二ダンパ１７は、空調対象空間２から空調機１９に至る気体流入路であるダクトＬ８の開閉を行う第二気体流入路開閉手段である。なお、この第二ダンパ１７は第一ダンパ１６と同様に自動制御装置によって制御される公知のモーターダンパとして構成される。そして、第二ダンパ１７が開に設定されているときにはダクトＬ８の内部に空気が通風するため、空調対象空間２の内部の空気がダクトＬ８を介してリタンチャンバー１８へと取り入れられる。一方、第二ダンパ１７が閉に設定されているときにはダクトＬ８の内部に空気が通風しないため、空調対象空間２の内部の空気がダクトＬ８を介してリタンチャンバー１８へと取り入れられない。なお、第二ダンパ１７はコスト的に必要とあれば手動ダンパの形式とすることも可能である。
【００３７】
（構成−リタンチャンバー）
リタンチャンバー１８は、天井チャンバー７からダクトＬ７を介して取り入れた空気、又は空調対象空間２からダクトＬ８を介して取り入れた空気と、外気とを混合する気体混合手段である。すなわち、第一ダンパ１６が開に設定され第二ダンパ１７が閉に設定されている状態においては、リタンチャンバー１８にはダクトＬ７を介して天井チャンバー７の空気が取り入れられ、リタンチャンバー１８は、このようにして取り入れられた空気と外気とを混合する。また、第一ダンパ１６が閉に設定され第二ダンパ１７が開に設定されている状態においては、リタンチャンバー１８にはダクトＬ８を介して空調対象空間２の内部の空気が取り入れられ、リタンチャンバー１８は、このようにして取り入れられた空気と外気とを混合する。なお、リタンチャンバー１８に取り入れられる外気は、外気冷房ファン１４、２４時間給気ファン１３又は全熱交換器１５のうち少なくとも二つの機器を介して屋外空間から取り入れた外気である。そして、このリタンチャンバー１８によって混合された空気は、ダクトＬ９を介して空調機１９に送風されて空調機１９において空気調和される。なお、場合によりダクトＬ８の長さが短い時はダクトＬ８を省略してもよい。
【００３８】
（構成−空調機）
空調機１９は、前記リタンチャンバー１８にて混合された混合気体に対して空気調和を行って生成した空気を空調対象空間２に対して供給する空調手段である。この空調機１９の種類等は任意であるが、たとえば水冷式や空冷式の公知の空調機１９として構成することが可能である。また、以下では、この空調機１９によって生成された空気を「空調空気」と必要に応じて称して説明する。なお、空調機１９の設置位置は任意であり、例えば天井チャンバー７の内部に設置しても良いが、本実施の形態においては、空調対象空間や天井チャンバーとは異なる部屋である空調設備設置室（図示省略）に設置するものとして説明する。
【００３９】
（構成−吸込口）
吸込口２０は、空調対象空間２の内部の空気を空調機１９に対して取り入れるための空気取り入れ手段である。この吸込口２０は、具体的には、空調対象空間２とリタンチャンバー１８とを接続するダクトであるダクトＬ８における空調対象空間２側の端部に設けられたダクト口である。なお、空調対象空間２内における当該吸込口２０を設ける位置は任意であり、例えば、空調対象空間２の内部の側壁や床面に設けても良いが、本実施の形態においては、空調対象空間２の天井における窓３から最も遠い位置近傍に配置するものとして説明する。ここで、この吸込口２０の設置位置は、照明器具８による熱負荷を含む空気や、太陽による熱負荷を含む空気が当該吸込口２０から出来る限り吸込まれないような位置とすることが望ましい。なお、この吸込口２０の位置を決定する詳細な方法については後述する。
【００４０】
（構成−リタンスリット）
リタンスリット２１は、天井ボード６における照明器具８が配置された位置の近傍に配置された通風手段である。このリタンスリット２１の形状や大きさ等は任意であるが、本実施の形態では、空調対象空間２から天井チャンバー７にかけて挿通された孔であって、幅方向に沿った長手方向を有する孔であるものとして説明する。そして、空調対象空間２の内部の空気が、このリタンスリット２１を介して天井チャンバー７に取り入れられる際に照明器具８の近傍を通ることによって、この空気が照明器具８の発熱によって加熱される。このようにして、天井チャンバー７には、照明器具８から受ける熱量の大きい空気が取り入れられる。
【００４１】
（構成−吹出口）
吹出口２２は、空調機１９により生成された空調空気を空調対象空間２に向けて吹出すための空調空気吹出手段である。具体的には、空調機１９と空調対象空間２とを接続するダクトであるダクトＬ１１及びダクトＬ１２における空調対象空間２側の端部の位置に設けられたダクト口として形成されている。なお、この吹出口２２の数は任意であるが、本実施の形態では、図１に示すようにダクトＬ１１及びダクトＬ１２はそれぞれ二手に分岐されており、各分岐先のダクトにおける空調対象空間２側の端部の位置に計４つ設けられているものとして説明する。
【００４２】
（構成−ＶＡＶ）
ＶＡＶ２３は、吹出口２２から吹出す空調空気の量を調整するための吹出し量調整手段である。このＶＡＶ２３は、ダクトＬ１１及びダクトＬ１２の経路上に設けられており、公知の手段によりダクトＬ１１及びダクトＬ１２に接続された吹出口２２から吹出す空調空気の量を調整する。なお、ＶＡＶ２３の具体的な構成については公知のＶＡＶの構成を採用することが可能であるため詳細な説明を省略する。
【００４３】
（構成−ブラインドスリット）
ブラインドスリット２４は、エアバリアシステムを実現するために遮熱空間１１に対して空気を通風させるための通風手段である。このブラインドスリット２４は、具体的には、窓枠における下枠と、ブラインド１０の下端部との相互間に形成された隙間である。このような隙間が設けられていることにより、エアバリアファン２５を稼動させることで、この隙間を介して空調対象空間２の内部の空気が遮熱空間１１に取り入れられ、このようにして遮熱空間１１に取り入れられた空気が太陽により加熱されて上昇し、ダクトＬ１３を介して天井チャンバー７に取り入れられる。このようにして実現されるエアバリアシステムにより、空調対象空間２におけるユーザの快適性の向上及び省エネルギーを図ることが可能となる。
【００４４】
（構成−エアバリアファン）
エアバリアファン２５は、ダクトＬ１３上に設けられたファンであって、空調対象空間２から遮熱空間１１を介して天井チャンバー７へと流れる気流を生成することによりエアバリアを生成するエアバリア生成手段である。
【００４５】
（処理）
続いて、このように構成された空調システム１により実行される空調処理について説明する。
【００４６】
（処理−暖房運転）
まずは、この空調システム１が暖房運転を行う際の処理について説明する。まず、例えばユーザのリモコン操作等を受け付けることにより空調システム１が暖房運転に設定されると、空調システム１の自動制御装置は、第一ダンパ１６に対して開制御信号を送信し、第二ダンパ１７に対して閉制御信号を送信する。そして、このようにして開制御信号を受信した第一ダンパ１６は開に設定され、閉制御信号を受信した第二ダンパ１７は閉に設定される。
【００４７】
そして、自動制御装置は、このように第一ダンパ１６及び第二ダンパ１７を設定した後に、空調機１９や各種ファンを稼動させる。ここで、第二ダンパ１７は閉に設定されているため空調対象空間２の内部の空気はダクトＬ８を介して空調機１９に取り入れられる事はない。一方、第一ダンパ１６が開に設定されているため天井チャンバー７の内部の空気はダクトＬ７を介して空調機１９に取り入れられる。ここで、天井チャンバー７の内部の空気とは、空調対象空間２から照明近傍空間９を通過してリタンスリット２１を介して天井チャンバー７に取り入れられた空気（すなわち、照明器具８から受ける熱量の大きい空気）、又は空調対象空間２からブラインドスリット２４を介して遮熱空間１１を通過して天井チャンバー７に取り入れられた空気（すなわち、太陽から受ける熱量の大きい空気）の両方を含む空気である。すなわち、このように暖房運転時において第二ダンパ１７を閉、第一ダンパ１６を開に設定することにより、照明器具８や太陽から受ける熱量の大きい空気のみを空調機１９に取り入れることができ、暖房運転時における空調機１９の空調負荷の低減を図ることが可能となる。
【００４８】
ここで、暖房運転時においては、空調機１９に対して外気を取り入れるための手段として、２４時間給気ファンと、必要に応じて全熱交換器１５とが運転される。このうち、２４時間給気ファンは、常時運転される。また、全熱交換器１５は、外気が冷たすぎる場合に運転されることで、このような外気を直接空調機１９に取り入れずに天井チャンバー７からの排気と熱交換した上で取り入れることができ、暖房運転時における空調機１９の空調負荷を低減することが可能となる。
【００４９】
また、空調対象空間２から天井チャンバー７に取り入れられた空気のうち、ダクトＬ７を介して空調機１９に取り入れられなかった空気は、全熱交換器１５から排気される。
【００５０】
（処理−冷房運転）
次に、この空調システム１が冷房運転を行う際の処理について説明する。図２は、冷房運転時における空調システム１の概要図である。まず、例えばユーザのリモコン操作等を受け付けることにより空調システム１が冷房運転に設定されると、空調システム１の自動制御装置は、第一ダンパ１６に対して閉制御信号を送信し、第二ダンパ１７に対して開制御信号を送信する。そして、このようにして閉制御信号を受信した第一ダンパ１６は閉に設定され、開制御信号を受信した第二ダンパ１７は開に設定される。
【００５１】
そして、自動制御装置は、このように第一ダンパ１６及び第二ダンパ１７を設定した後に、空調機１９や各種ファンを稼動させる。ここで、第一ダンパ１６は閉に設定されているため天井チャンバー７の内部の空気はダクトＬ７を介して空調機１９に取り入れられる事はない。一方、第二ダンパ１７が開に設定されているため空調対象空間２の内部の空気はダクトＬ８を介して空調機１９に取り入れられる。ここで、空調対象空間２の内部の空気とは、照明対象空間や遮熱空間１１を通過していない空気であり、照明器具８や太陽から受ける熱量が小さい空気である。すなわち、このように第一ダンパ１６を閉、第二ダンパ１７を開に設定することにより、照明器具８や太陽から受ける熱量の小さい空気のみ空調機１９に取り入れることが可能となるため、冷房運転時における空調機１９の空調負荷の低減を図ることが可能となる。
【００５２】
ここで、冷房運転時においては、空調機１９に対して外気を取り入れるための手段として、２４時間給気ファンに加えて、外気冷房ファン１４又は全熱交換器１５の少なくとも一方が運転される。このうち、２４時間給気ファンは、常時運転される。また、外気冷房ファン１４は、季節的に外気が空調対象空間２の内部の空気より冷涼である場合等のように、外気の状態が、冷房として利用可能な状態である時に運転されることで、当該外気を空調機１９に取り入れて空調機１９の空調負荷を低減することが可能となる。また、全熱交換器１５は、外気冷房ファン１４とは逆に、外気の状態が熱すぎる場合に運転されることで、このような外気を直接取り入れずに天井チャンバー７からの排気と熱交換した上で取り入れて冷房運転時における空調機１９の空調負荷を低減することが可能となる。
【００５３】
なお、これらの外気冷房ファン１４、及び全熱交換器１５は、上述したように空調システム１が冷房運転に設定された際に、外気の温度を計測するセンサー（図示省略）にて計測された外気の温度に基づいて、適した方が自動的に運転されても良い。
【００５４】
また、空調対象空間２から天井チャンバー７に取り入れられた空気は、余剰排気ファン１２及び全熱交換器１５によって排気することにより、照明器具８から受ける熱量及び太陽から受ける熱量を空調機１９に取り入れず排気することが可能であり、空調機１９の空調負荷を低減することが可能となる。
【００５５】
（吸込口の位置として最適な位置について）
続いて、吸込口２０の位置として最適な位置を決定する方法について図３を参照しつつ説明する。
【００５６】
初めに、吸込口２０の位置として最適な位置を決定するための基本的観念について説明する。まず、吸込口２０から空気を吸込むのは上述したように冷房運転時であるため、空調機１９に対して熱負荷の大きい空気を取り入れてしまうと、空調機１９の空調負荷を増大させてしまう。すなわち、吸込口２０を照明近傍空間９の近傍に設けると、照明器具８により加熱された空気が空調機１９に対して多く取り入れられてしまい、空調機１９の空調負荷を増大させてしまうため好ましくない。また、吸込口２０を遮熱空間１１の近傍に設けると、太陽により加熱された空気が空調機１９に対して多く取り入れられてしまい、同様に空調機１９の空調負荷を増大させてしまうため好ましくない。
【００５７】
したがって、吸込口２０を照明近傍空間９または遮熱空間１１の少なくとも一方から所定距離以上離れた位置に設けることにより、照明器具８による熱負荷及び太陽による熱負荷の小さい空気を空調機１９に対して取り入れることができ、空調機１９の空調負荷の低減を図ることが可能となる。このような基本的観念において、以下に吸込口２０の位置として最適な位置を決定するための具体的な手段について説明する。
【００５８】
まずは、図３に示すように、空調対象空間２において相互に重複しない複数の領域を設定する。そして、照明近傍空間９が位置する領域、又は遮熱空間１１が位置する領域から所定距離以上離れた他の領域に吸込口２０の位置を決定する。ここで、「所定距離」とは、照明器具８による熱量や太陽による熱量による空気の温度の上昇値が所定の基準以下となるような距離（例えば１ｍ）であって、このような距離の具体的な値については任意に決定して良い。また、この所定距離は予め定められた値であっても構わないし、また、照明器具８の発熱量や大きさ等に応じて異なる値としても良い。なお、本実施の形態においては、少なくとも、当該吸込口２０が位置する領域と、照明近傍空間９が位置する領域、又は遮熱空間１１が位置する領域と、が異なる領域である場合には、これらの領域の相互間の距離は所定距離以上離れているものとして説明する。
【００５９】
具体的には、図３において、照明近傍空間９は、領域Ａｃ、領域Ａｆ、及び領域Ａｉに位置しており、遮熱空間１１は、領域Ａｍから領域Ｇｍに位置している。したがって、これらの領域以外の領域に、吸込口２０を設けることにより、「吸込口２０が位置する領域と、照明近傍空間９が位置する領域又は遮熱空間１１が位置する領域とは所定距離以上離れている」という基準を満たす事となる。例えば、本実施の形態では領域Ａａに吸込口２０を設置することにより、このような基準を満たしている。
【００６０】
なお、本実施の形態においては、吸込口２０が位置する領域を、照明近傍空間９が位置する領域の列（ｃ列、ｆ列、ｉ列）とは異なる列であるａ列に位置させることにより、上記基準を満たすものとした。しかし、吸込口２０が位置する領域を、照明近傍空間９が位置する領域の行（Ａ行）とは異なる行であるＢ行からＧ行に位置させることにより、上記基準を満たすものとしても良い。例えば、領域Ｂｃ、領域Ｂｆ、又は領域Ｂｉに吸込口２０を位置させることにより、上記基準を満たしても良い。
【００６１】
また、吸込口２０の位置から照明近傍空間９が位置する領域又は遮熱空間１１が位置する領域までの距離は大きい位置である程好ましい。具体的には、吸込口２０の位置は、行の観点及び列の観点の両観点において、照明近傍空間９が位置する領域又は遮熱空間１１が位置する領域からの距離が大きい位置（例えば領域Ｇａ）であることが好ましい。
【００６２】
また、本実施の形態においては、説明の便宜上において、図３のように空調対象空間２の横断面図において空調対象空間２における行と列からなる二次元の領域を設定したが、行と列に加えて図３における幅方向の観点を加えた三次元の領域を設定する方がより好ましい。すなわち、実際には、照明器具８は幅方向に沿って複数配置されており、遮熱空間１１も幅方向に沿って形成されている。したがって、吸込口２０の位置は、幅方向の観点からも照明近傍空間９や遮熱空間１１から遠い位置である方がより好ましい。
【００６３】
（実施の形態の効果）
このように、本実施の形態に係る空調システム１によれば、第一方式においては第二ダンパ１７を開けると共に第一ダンパ１６を閉じるので、熱源から受ける熱量の小さい空気を空調機１９に取り入れると共に、熱源から受ける熱量の大きい空気を空調機１９に取り入れない事ができ、冷房運転時における空調機１９の空調効率の低減を図ることが可能となる。また、第二方式においては第二ダンパ１７を閉じると共に第一ダンパ１６を開けるので、熱源から受ける熱量の大きい空気を空調機１９に取り入れると共に、熱源から受ける熱量の小さい空気を空調機１９に取り入れない事ができ、暖房運転時における空調機１９の空調効率の低減を図ることが可能となる。よって、冷房運転と暖房運転との切り替えに応じて、第一方式と第二方式とを切り替えることにより、冷房運転時及び暖房運転時の両方において空調機１９の空調負荷の低減を図ることが可能となる。
【００６４】
また、空調対象空間２に対して太陽熱を供給する太陽熱供給空間と空調対象空間２に配置されたブラインド１０との相互間に形成された遮熱空間１１の空気を天井チャンバー７に取り入れるので、第二方式において太陽から受ける熱量の大きい空気を空調機１９に取り入れる事が可能であるため、暖房運転時において太陽の熱量を利用して空調を行うことが可能となる。
【００６５】
また、照明近傍空間９の空気を天井チャンバー７に取り入れるので、第二方式において照明器具８から受ける熱量の大きい空気を空調機１９に取り入れる事が可能であるため、暖房運転時において照明器具８の熱量を利用して空調を行うことが可能となる。
【００６６】
また、吸込口２０が配置された領域と、照明近傍空間９又は遮熱空間１１が配置された領域との距離が所定距離以上であるので、吸込口２０から取り入れられる空気のうち、熱源の熱負荷を含む空気の割合を低減することができ、冷房運転時における空調機１９の空調負荷のさらなる低減を図ることが可能となる。
【００６７】
また、天井チャンバー７に取り入れられた空気と外気との全熱交換を行う全熱交換器１５、又は天井チャンバー７に取り入れられた空気を排気する余剰排気ファン１２の少なくとも一方を備えるので、天井チャンバー７に取り入れられた空気を全熱交換器１５又は余剰排気ファン１２を介して排気することができ、冷房運転時における空調機１９の空調負荷のさらなる低減を図ることが可能となる。特に、全熱交換器１５の選択も可能であることは冷房運転時における最大空調負荷時（外気冷房が不可能な時）にも空調負荷の低減が可能である。
【００６８】
〔ＩＩＩ〕各実施の形態に対する変形例
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００６９】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、少なくとも空調効率の低減率が従来と同程度に留まる場合であっても、従来と異なるシステムによって空調効率の低減を達成できている場合には、本発明の課題は解決されている。
【００７０】
（寸法や材料について）
発明の詳細な説明や図面で説明した空調システム１の各部の寸法、形状、比率等は、あくまで例示であり、その他の任意の寸法、形状、比率等とすることができる。
【００７１】
（チャンバーについて）
本実施の形態では、チャンバーは空調対象空間２の天井裏に設けられた天井チャンバー７であるものとして説明したが、これに限らず、例えば空調対象空間２の床下に設けられた床下チャンバー等であっても良い。
【００７２】
本実施の形態では、空調対象空間２には照明器具８による熱負荷を含む空気と、ブラインド１０による熱負荷を含む空気との両方を天井チャンバー７に取り入れるものとして説明したが、これらのいずれか一方のみを天井チャンバー７に取り入れる構成としても良い。また、これら以外の熱源（例えば、空調対象空間２に設けられたＯＡ機器）による熱負荷を含む空気を天井チャンバー７に取り入れるものとしても良い。
【００７３】
（第一方式と第二方式との切り替えについて）
本実施の形態では、冷房運転と暖房運転との切り替えに応じて第一方式と第二方式とを切り替えることにより、冷房運転及び暖房運転の両方において最適な温度の空気を空調器３０に取り入れることが可能なものとして説明したが、これに限定されない。すなわち、冷房運転と暖房運転との切り替えに応じて第一方式と第二方式とを切り替えなくても良く、特に近年の建物の空調負荷特性を考慮すると、冷房負荷が暖房負荷より顕著に大きくなる傾向にあるため、冷房運転に適した第一方式を、冷房運転時から暖房運転時に架けて一貫して採用しても良い。このような構成とすることによって、暖房運転時において太陽の熱量や照明器具８の熱量を利用した空調を行うことが出来ないため暖房運転時における熱回収量は低減するが、年間を通しては空調負荷の低減を図ることが可能となる。同様に、暖房運転に適した第二方式を、冷房運転から暖房運転に架けて一貫して採用しても良い。要するに、当該空調システム１が設けられる環境の年間の暖房負荷量及び冷房負荷量を比較して第一方式又は第二方式のいずれが当該環境において最適な方式であるかを判断し、当該空調システム１の初期設定時にのみ、環境に応じて第一方式又は第二方式の最適な方式に切り替えを行い、その後には方式の切り替えを行わないものとしても良い。
【００７４】
また、本実施の形態では、ユーザのリモコン操作等を受け付けることにより空調システム１が暖房運転又は冷房運転に設定された際に、第一方式と第二方式との切り替えを行ったが、これに限定されない。例えば、空調対象空間２の温度に応じて自動的に第一方式と第二方式との切り替えが行われても良い。具体的には、空調システム１の自動制御装置は、空調対象空間２の温度を計測する温度計測手段（図示省略）を参照して、空調対象空間２の温度が閾値（例えば２６℃）以上である場合には、冷房運転に適した第一方式に切り替えるように第一ダンパ１６及び第二ダンパ１７に制御信号を送信し、空調対象空間２の温度が閾値（例えば２６℃）未満である場合には、暖房運転に適した第二方式に切り替えるように第一ダンパ１６及び第二ダンパ１７に制御信号を送信しても良い。
【００７５】
（付記）
付記１に記載の空調システムは、空調対象空間に対して空調空気を供給するための空調システムであって、前記空調対象空間の内部の気体を、前記空調対象空間の内部又は外部に位置する所定の熱源により加熱された被加熱部を介して、前記空調対象空間から取り入れるチャンバーと、外部空間から取り入れた外気と、前記空調対象空間又は前記チャンバーから取り入れた気体と、を混合して生成した空調空気を前記空調対象空間に対して供給する空調手段と、前記チャンバーから前記空調手段に至る気体流入路の開閉を行う第一ダンパと、前記空調対象空間から前記空調手段に至る気体流入路の開閉を行う第二ダンパと、を備え、前記第一ダンパを閉じると共に前記第二ダンパを開けることにより、前記空調対象空間の内部の気体を前記空調手段に取り入れる第一方式と、前記第二ダンパを閉じると共に前記第一ダンパを開けることにより、前記チャンバーの内部の気体を前記空調手段に取り入れる第二方式と、を相互に切り換え可能とした。
【００７６】
また、付記２に記載の空調システムは、付記１に記載の空調システムにおいて、前記被加熱部は、前記熱源である太陽により加熱される遮熱空間であって、前記空調対象空間に対して太陽熱を供給する太陽熱供給空間と前記空調対象空間に配置された遮熱手段との相互間に形成された遮熱空間である。
【００７７】
また、付記３に記載の空調システムは、付記１又は２に記載の空調システムにおいて、前記被加熱部は、前記熱源である照明器具により加熱される照明近傍空間であって、前記空調対象空間の周囲又は内部に配置された前記照明器具により加熱される照明近傍空間である。
【００７８】
また、付記４に記載の空調システムは、付記１から３のいずれか一項に記載の空調システムにおいて、前記空調対象空間において相互に重複しない複数の領域を設定し、前記空調対象空間と前記空調手段とを接続する気体流入路における前記空調対象空間側の端部が配置された領域と、前記被加熱部が配置された領域との距離が所定距離以上となるように、前記端部を配置した。
【００７９】
また、付記５に記載の空調システムは、付記１から４のいずれか一項に記載の空調システムにおいて、前記チャンバーに取り入れられた気体と前記外気との全熱交換を行う全熱交換手段、又は前記チャンバーに取り入れられた気体を排気する余剰排気手段の少なくとも一方を備える。
【００８０】
（付記の効果）
付記１に記載の空調システムによれば、第一方式においては第二ダンパを開けると共に第一ダンパを閉じるので、熱源から受ける熱量の小さい気体を空調手段に取り入れると共に、熱源から受ける熱量の大きい気体を空調手段に取り入れない事ができ、冷房運転時における空調手段の空調効率の低減を図ることが可能となる。また、第二方式においては第二ダンパを閉じると共に第一ダンパを開けるので、熱源から受ける熱量の大きい気体を空調手段に取り入れると共に、熱源から受ける熱量の小さい気体を空調手段に取り入れない事ができ、暖房運転時における空調手段の空調効率の低減を図ることが可能となる。よって、冷房運転と暖房運転との切り替えに応じて、第一方式と第二方式とを切り替えることにより、冷房運転時及び暖房運転時の両方において空調手段の空調負荷の低減を図ることが可能となる。
【００８１】
付記２に記載の空調システムによれば、空調対象空間に対して太陽熱を供給する太陽熱供給空間と空調対象空間に配置された遮熱手段との相互間に形成された遮熱空間の気体をチャンバーに取り入れるので、第二方式において太陽から受ける熱量の大きい気体を空調手段に取り入れる事が可能であるため、暖房運転時において太陽の熱量を利用して空調を行うことが可能となる。
【００８２】
付記３に記載の空調システムによれば、照明近傍空間の気体をチャンバーに取り入れるので、第二方式において照明器具から受ける熱量の大きい気体を空調手段に取り入れる事が可能であるため、暖房運転時において照明器具の熱量を利用して空調を行うことが可能となる。
【００８３】
付記４に記載の空調システムによれば、空調対象空間と空調手段とを接続する気体流入路における空調対象空間側の端部が配置された領域と、被加熱部が配置された領域との距離が所定距離以上であるので、気体流入路における空調対象空間側の端部から取り入れられる気体のうち、熱源の熱負荷を含む気体の割合を低減することができ、冷房運転時における空調手段の空調負荷のさらなる低減を図ることが可能となる。
【００８４】
付記５に記載の空調システムによれば、チャンバーに取り入れられた気体と外気との全熱交換を行う全熱交換手段、又はチャンバーに取り入れられた気体を排気する余剰排気手段の少なくとも一方を備えるので、チャンバーに取り入れられた気体を全熱交換手段又は余剰排気手段を介して排気することができ、冷房運転時における空調手段の空調負荷のさらなる低減を図ることが可能となる。特に、全熱交換手段の選択も可能であることは冷房運転時における最大空調負荷時（外気冷房が不可能な時）にも空調負荷の低減が可能である。
【符号の説明】
【００８５】
１  空調システム
２  空調対象空間
３  窓
４  外部空間
５  天井スラブ
６  天井ボード
７  天井チャンバー
８  照明器具
９  照明近傍空間
１０  ブラインド
１１  遮熱空間
１２  余剰排気ファン
１３  ２４時間給気ファン
１４  外気冷房ファン
１５  全熱交換器
１６  第一ダンパ
１７  第二ダンパ
１８  リタンチャンバー
１９  空調機
２０  吸込口
２１  リタンスリット
２２  吹出口
２３  ＶＡＶ
２４  ブラインドスリット
２５  エアバリアファン
３０  空調機
３１  室内
３２  還気ダクト
３３  排気ダクト
３４  分岐ダクト
３５  ダンパ
３６  照明器具
【図１】
2015048960.tif 000003
【図２】
2015048960.tif 000004
【図３】
2015048960.tif 000005
【図４】
2015048960.tif 000006